(57)【要約】      （修正有）【課題】吸引パイプを用いた清掃機において、小枝や廃棄物等により該吸引パイプに詰まりが生じた際に、容易に素早く修復できる詰まり排除構造を提供する。【解決手段】吸引パイプ２、該吸引パイプ２の入口窓３、該入口窓３近辺に配置され該吸引パイプ２の内周面より外側の位置と該吸引パイプ２の内周面を横断した位置との間を往復動するピストン４ａと、該ピストン４ａを駆動する駆動手段６により、吸引パイプ２の詰まり排除構造を構成する。【選択図】図１
2007100502.tif 000002
【特許請求の範囲】
【請求項１】
前記吸引パイプ（２）の軸（２ａ）及び入口窓（３）を規定する吸引パイプ（２）からなる清掃機における、廃棄物及び類似品の吸引装置であって、それは前記吸引パイプ（２）から障害物を排除するのに適した前記入口窓（３）近辺の前記パイプ（２）の掃除装置（４）からなることを特徴とする吸引装置。
【請求項２】
掃除装置（４）は前記吸引パイプ（２）と干渉し、そして前記軸（２ａ）に対して空間的に傾斜する前方軌道（５）を有するピストン（４ａ）を含み、そして前記ピストン（４ａ）は前記吸引パイプ（２）外側の待機位置と、前記入口窓（３）の前記吸引パイプ（２）内の前進位置との間で動くことを特徴とする、請求項１による吸引装置
【請求項３】
前記前方軌道（５）における前記ピストン（４ａ）が前記パイプ（２）と完全に交差する、請求項２による吸引装置。
【請求項４】
前記ピストン（４ａ）は流体ダイナミックシリンダ（６）により駆動される、請求項２による吸引装置。
【請求項５】
前記流体ダイナミックシリンダ（６）が水圧シリンダである、請求項４による吸引装置。
【請求項６】
前記ピストン（４ａ）は凹面作用平面（４ｂ）を有する請求項２による吸引装置。
【請求項７】
前記掃除装置（４）は制御部材（８）により駆動され、そして前記清掃機は制御器により駆動され、前記制御部材（４）は前記清掃機の前記制御器近辺にある、請求項１による吸引装置。
【発明の詳細な説明】
【技術分野】
【０００１】
この発明は入口窓を有する吸引パイプからなる清掃機において、廃棄物及び類似品の吸引装置に関する。
【背景技術】
【０００２】
地面から廃棄物を吸引し、それを内部容器に貯蔵する、道路、広場及び類似場所を清掃するための機械は現在知られている。
【０００３】
前記機会は地面近くに配置された入口を有する複雑な吸引システムを使用する。
【０００４】
従ってその入口は廃棄物が通過する清掃機の最初の部分であり、更に掃除され、清掃されるべき地面に最も近い清掃機の部分である。
【０００５】
その入口の基礎部分は吸引パイプの窓であり、これを通して廃棄物及び他の物質が吸引される。
【０００６】
前記窓の入口が少しでも詰まると清掃機が全く役に立たなくなる。
【０００７】
既知技術の欠点は入口がかさばる廃棄物によりしばしば詰まることである。
【０００８】
前記廃棄物は、吸引入口、特にパイプ窓近くの部分で詰まりがよく起こる。
【０００９】
従って掃除機の作動を中断し、挟み又は他の道具で手で吸引パイプを外すことが必要である。前記動作は労働集約型であり、機械停止を引き起こす。
【００１０】
この問題は吸引パイプ及びパイプ自身の窓の直径を増加させることにより一部解決することが出来る。
【００１１】
しかし上記解決法は吸引システム全体の再設計、特にそのシステムのパワーの増強を必要とし、更にそれは枝、小枝及び廃棄物の他の特別に大きな物による詰まりに対する救済手段を提供しない。
【発明を実施するための最良の形態】
【００１２】
この状況で、この発明の基本にある技術的課題は、言及した欠点をほぼ解決できる廃棄物及び類似品の吸引装置を思いつくことである。
【００１３】
前記技術的課題の中で本発明の重要な目的は枝や類似物のようなかさばるものであっても廃棄物により邪魔されず、邪魔された場合に容易に素早く修復できる装置を製作することである。
【００１４】
その技術的課題は、前記吸引パイプから障害物を排除するのに適した前記入口窓近くの掃除装置を含み、前記吸引パイプの軸と入口窓を規定する吸引パイプからなる清掃機において廃棄物及び類似品の吸引装置により達成される。
【００１５】
上記図に関して、本発明による装置は全体を通して数字１により表示される。
【００１６】
それは道路及び類似場所における清掃のための廃棄物吸引システムを含む機械上で使用される。
【００１７】
前記吸引システムは、掃除機内の廃棄物をこの目的用に備えられた容器へ搬送する吸引パイプ２を必ず含む。
【００１８】
吸引パイプ２は入口窓３を介して外に通じており、入口窓３近辺に配置されたパイプ２の掃除装置４を都合よく含む。
【００１９】
前記掃除装置４は吸引パイプ２をいかなる障害物からも解放することに適する。
【００２０】
前記目的のため、掃除装置４は吸引パイプ２と干渉する前方軌道５を有するピストン４ａから適切に構成される。前方軌道５は吸引パイプ２の軸２ａに関して空間的に傾斜していることが望ましく、前記軸２ａと交差する。それは従って窓３近辺のパイプ２全域と交差し、そこにあるいかなる要素も捕まえることを保証する。
【００２１】
ピストン４ａの前方移動は次に入口窓３へ向かい、前記窓３を適切に横断し、その向こうへ行く。
【００２２】
待機位置にある場合、吸引パイプの断面を減少させないように、そして廃棄物と交差する障害物にならないように、ピストン４ａは吸引パイプ２の外に留まる。それは、その中へ割り込むのではなく、いかなる廃棄物も捕まえるのに適した凹面の作用平面４ｂを備えたヘッドを都合よく有する。
【００２３】
ピストン４ａは更に流体ダイナミックシリンダ６、より望ましくは、例えば単動式の水圧シリンダにより駆動されることが望ましい。それは弾性体6ｂに対抗して作動するポンプ６ａにより駆動される。流体ダイナミックシリンダ６もまたパイプ２の外に配置され、これと干渉しない。
【００２４】
装置１は更に掃除装置４の制御システム７を含む。
【００２５】
前記制御システム７は適切な電気式の制御部材８と伝達手段９から適切に構成され、これが前記制御部材８を流体ダイナミックシリンダ６駆動するポンプ６ａへ接続する。
【００２６】
制御部材８は、操作が非常に簡単でかつ迅速なように前記掃除機の制御器近辺に配置されることが望ましい。
【００２７】
構造的に上で述べた本発明による吸引装置の作動は以下の如くである。
【００２８】
清掃機が作動する場合は、吸引システムは吸引パイプ２を介して廃棄物及び類似品を吸い込む。
【００２９】
廃棄物は窓３を通過し、パイプへ吸引され、ここから通常は清掃機内部の容器へ貯蔵される。
【００３０】
廃棄物の通過の間に、ピストン４ａは、パイプの外にあり弾性体６ｂにより前記位置に保たれるため、パイプ２を妨げたり妨害したりしない。
【００３１】
既に特定したように、例えば枝のような特にかさばる廃棄物は、清掃機の作動中に吸引パイプ２でしばしば詰まる。
【００３２】
前記廃棄物は、掃除装置４が配置される窓３又はその近辺で吸引パイプ２を邪魔する。
【００３３】
上記タイプの問題発生の場合は、それに気付いたオペレータが制御部材８を介して掃除装置４を簡単に操作することができる。
【００３４】
特に弾性体６ｂに対抗して流体ダイナミックシリンダ６を動かすポンプ６ａが作動される。ピストン４ａは次に前記廃棄物を窓３に向かって押し、そして窓３を経由して吸引パイプ２からそれを排除する。
【００３５】
掃除装置４は次に窓３をその詰まった廃棄物から開放する。動作の最後にポンプ６ａは流体ダイナミックシリンダ６への作用を中断し、弾性体６ｂにより吸引パイプ２の外側へ押し出される。
【００３６】
本発明は重要な利点を提供する。
【００３７】
装置１は掃除装置４により、吸引パイプ２を迅速にかつ作業を中断せず解放し、これにより清掃機の完全な作動を復旧させる。
【００３８】
制御部材８は更に清掃機制御器近辺に配置され、これにより操作が迅速かつ簡単になり、この結果無駄時間がより短くなり、道路や類似場所のより迅速な清掃が可能になる。
【００３９】
装置４はもしピストン４ａにより構成されるならば、更に構造的に非常に簡単で、直線的かつ頑丈で、従って誤動作及び同様のことは稀にしか起こらない。
【００４０】
最後にそれが休止中は、吸引パイプ２への障害物とはならない。
【図面の簡単な説明】
【００４１】
本発明の更なる特徴及び利点は、付属図面に関して本発明の好適実施形態に関する以下の詳細説明により、よりよく明らかとなる。
【図１】本発明による装置を不等角投影により図示する図を示す。
【図２】本発明による装置の断面を図示する。
【図１】
2007100502.tif 000003
【図２】
2007100502.tif 000004